(57)【要約】  それぞれが各胸にフィットするように構成される第１の片側部および第２の片側部を、それぞれ含むブラジャーであって、各片側部が、所定のカップサイズにフィットするように構成されるカップと、フックのない肩ストラップと、使用時に身体にブラジャーを取り付けることができる取付けストラップとを含み、取付けストラップが、ストラップの一方の端部に位置付けられるフックによって係合され得る複数のスロットを含み、それによって使用者ごとにブラジャーのサイズを調整する、ブラジャー。【選択図】図３
2019520491.tif 000002
【特許請求の範囲】
【請求項１】
それぞれが各胸にフィットするように構成される第１の片側部および第２の片側部を、それぞれ含むブラジャーであって、各片側部が、所定のカップサイズにフィットするように構成されるカップと、肩ストラップと、使用時に身体に前記ブラジャーを取り付けることができる取付けストラップとを含み、前記取付けストラップが、前記ストラップの一方の端部に位置付けられるフックによって係合され得る複数のスロットを含み、それによって使用者ごとに前記ブラジャーのサイズを調整し、前記ブラジャーが、前記カップ同士の間に前中心部分を含まない、ブラジャー。
【請求項２】
異なるカップサイズを有する各ブラジャー片側部をさらに含む、請求項１に記載のブラジャー。
【請求項３】
前記ブラジャー片側部が、前記胸の離間に応じて異なる量がその前面で重なる、請求項１または２に記載のブラジャー。
【請求項４】
前記ブラジャーが、前記肩ストラップと一体になったバックウイングを含み、その結果、肩ストラップ調節が存在しない、請求項１から３のいずれかに記載のブラジャー。
【請求項５】
前記ブラジャー片側部を安定させ、前記ブラジャー片側部を定位置に保持するための背面部分を含む、請求項１から４のいずれかに記載のブラジャー。
【請求項６】
前記肩ストラップが、固定的な長さを有する、請求項４または５に記載のブラジャー。
【請求項７】
前記ブラジャーが、ワイヤレスである、請求項１から６のいずれかに記載の前記ブラジャー。
【請求項８】
前記取付けストラップが、様々なブラジャーサイズに関して前記取付けストラップをカットする場所を示す複数の印を含む、請求項１から７のいずれかに記載のブラジャー。
【請求項９】
所定のカップサイズのカップを作るステップと、
前記カップの上部において肩ストラップを介して背面ウイングに前記カップを取り付けるステップと、
前記カップの基部において取付けストラップに前記カップを取り付けるステップと、
前記取付けストラップの所定の場所に前記背面ウイングを取り付けるステップと、を含む、ブラジャーを製造する方法であって、
前記取付けストラップが、使用時に身体に前記ブラジャーを取り付けることができ、前記取付けストラップが、前記ストラップの一方の端部に位置付けられるフックによって係合され得る複数のスロットを含み、それによって使用者ごとに前記ブラジャーのサイズを調整し、前記カップ、または前記カップのそれぞれに取り付けられる前中心が存在しない、方法。
【発明の詳細な説明】
【技術分野】
【０００１】
本発明は、ブラジャーの改良またはブラジャーに関連する改良に関する。
【背景技術】
【０００２】
女性がブラジャーを着用することは普通のことである。多くの様々なタイプ、サイズ、および型式が存在する。他のブラジャーより快適なブラジャーもある。うまくフィットするブラジャーもあれば、そうでないものもある。着けることが簡単なブラジャーもあれば、特に腕の運動が何らかの形で妨げられているとき、簡単ではないものもある。
【０００３】
ブラジャーのデザイナおよび製造者によってうまく対処されていない特定の課題の１つは、一方の胸がしばしば他方の胸とは異なるサイズである場合があるということである。これは、一般に、胸ごとのカップサイズが異なるということを意味する。これは自然な現象であることもあり、病気の場合に胸またはしこりの除去によってもたらされることもある。理由に関わらず、女性たちは、現在のブラジャーに関連付けられる問題のうちのいくつかまたはすべてに対処する快適なブラジャーを、長い間、また切に求めている。
【０００４】
胸ごとにカップサイズの異なるブラジャーが、たとえばＷＯ２０１４０８９７６２において提案されている。これらのブラジャーは、いくつかの問題には対処するが、着け心地が悪く、フィットさせることが難しく、着けることが困難である。
【発明の概要】
【課題を解決するための手段】
【０００５】
本発明は、従来技術に関連付けられる問題のうちの少なくともいくつかを解決しようと試みる。
【０００６】
対処される問題のうちのいくつかが以下に述べられる。ブラジャーは、特に着用者が年配であるかまたは何らかの障害をもつ場合、着けることが難しい。着用者の中には背中のところでブラジャーを取り付ける人もいるが、これには、着用者の腕が十分に柔軟であることが必要とされる。着用者の中には、前でブラジャーを取り付け、次いで、身体の周りでブラジャーを回転させる人もいる。少なくともより大きいサイズのブラジャーでは、回転させる方法は事実上不可能である。
【０００７】
ブラジャーは、各側にバックウイングを含む。ブラジャーバンドを連結するフックアイにサイドカップを連結するために、バックウイングは、一般に小さい領域を覆う強力な布で作られる。フックアイに関する制約により、パターンメーカーは、安定性を求めてストラップの長さおよび質に頼ることを強いられる。このことは、一般にストラップは剛性であり、肩に食い込む場合があるということを意味する。
【０００８】
バンドの幅に応じて、一般に２つまたは３つのフックアイが存在する。大半のブラジャーは、ブラジャーのきつさが調節され得るように、いくつかの調節位置を有する。したがって、距離は、３つの位置の場合の４ｃｍから、５つの位置（すなわちマタニティブラジャーの場合）で最大に調節した場合の６ｃｍまで変化する。ブラジャーを購入するときは、最も近い組合せのフックアイでブラジャーを取り付けることが賢明である。このことは、様々な使用者に向けて、ブラジャーバンドの長さに最大４．５ｃｍの可変性がある場合があるということを意味する。このことに伴う課題は、これは着用者に「ぴったりとフィット」することを保証せず、バンドが時と共に「ゆるみ」始めたとき、これが悪化する恐れがあるということである。バンドの性質により、ブラジャーは、時と共に数センチメートル大きくなることになる。これは、回転させることで悪化する恐れがある。将来的には最も遠くにある留め具が役に立つ可能性があるが、身体の押込みおよび不快感を生じさせる恐れがある。
【０００９】
標準的なブラジャー締結具は、１つまたは複数の小さい金属フックと、対応する金属環とから構成される。これらの締結具は、特にそれらが目に見えない場合、留めることが困難なことがある。標準的なフックアイは、横１〜４段および縦１〜５列から構成され、位置ずれはよくあることである。横の段が多くなるほど、ブラジャーはよりしっかりと身体を絞めつける。関節炎などをもつ着用者は、実際には助けを借りることなく標準的なブラジャーを着けることができない場合がある。
【００１０】
標準的なブラジャーは、カップのボリューム領域に収まるように着用者の胸を導くために、前中心で連結される。前中心は、一般に美しく作られており、工場は、大きいカップを有するブラジャーでは特に縫製が非常に困難になる完璧な前中心を有する完璧に対称なブラジャーを作るために熱心に取り組んでいる。しばしば、ネックラインで胸がいくらか見える場合があり、着用者が胸のサイズの点において完璧に対称でなければ、サイズの差はしばしば目に見えて分かる。多くの着用者はこれを好まず、片方の胸を押し上げる、または他方の胸を押しつぶす行動をとる。標準的なブラジャーでは、あらゆる着用者について対称性のなさを補正することは一切できない。着用者が何らかの胸の手術を受けている場合、これはさらにいっそう著しい場合がある。
【００１１】
本発明は、独立請求項において定義される。本発明の種々の任意選択の特徴は、従属請求項において定義される。
【００１２】
次に、一例として添付図面が参照される。
【図面の簡単な説明】
【００１３】
【図１】本発明の一実施形態によるブラジャーの第１の片側部の、伸ばされた正面図である。
【図２ａ】本発明の一実施形態による身体につけられたブラジャーの第１の片側部の正面図である。
【図２ｂ】本発明の一実施形態による身体につけられたブラジャーの第２の片側部の正面図である。
【図３】本発明の一実施形態によるブラジャーの第１の片側部および第２の片側部の正面図である。
【図４ａ】本発明の一実施形態による身体につけられたブラジャーの第１の片側部の背面図である。
【図４ｂ】本発明の一実施形態による身体につけられたブラジャーの第２の片側部の背面図である。
【図５】本発明の一実施形態による身体につけられたブラジャーの第１の片側部および第２の片側部の背面図である。
【図６】本発明の一実施形態による、使用者にブラジャー片側部を取り付けるために使用される無限アンダーバンドの図である。
【図７】本発明の一実施形態による、狭幅胸フレームにおけるブラジャーの第１の片側部および第２の片側部の正面図である。
【図８】本発明の一実施形態による、広幅胸フレームにおけるブラジャーの第１の片側部および第２の片側部の正面図である。
【図９ａ】標準的なブラジャー（９ｃおよび９ｄ）と比較したときの本発明の一実施形態によるブラジャー（９ａおよび９ｂ）のフィッティングを示す、上からの図である。
【図９ｂ】標準的なブラジャー（９ｃおよび９ｄ）と比較したときの本発明の一実施形態によるブラジャー（９ａおよび９ｂ）のフィッティングを示す、下からの図である。
【図９ｃ】標準的なブラジャー（９ｃおよび９ｄ）の上からの図である。
【図９ｄ】標準的なブラジャー（９ｃおよび９ｄ）の下からの図である。
【発明を実施するための形態】
【００１４】
本発明は、胸ごとに１つの、２つの別々の片側部を有するブラジャーに関する。２つの別々の片側部は、異なるカップサイズの胸をもつ女性に対応するために、異なるサイズであってもよい。
【００１５】
図１を参照すると、第１のブラジャー片側部１００が示されている。ブラジャー片側部は、カップ１０２と、肩ストラップ１０４と、バックパネルまたは背面部分１０３と、使用者にブラジャーを取り付けるための無限アンダーバンド１０６とを含む。
【００１６】
ブラジャーは、２つのブラジャー片側部から作られており、必要に応じてそれぞれが異なるカップサイズを有する。２つの片側部を有する既存の他のブラジャーが存在するが、これらは多くの欠点を有し、多くの場合において、着用および身につけることが困難である。以下に、本発明によるブラジャーの着け方について説明する。
【００１７】
ブラジャーカップは、Ａ、Ｄ、Ｃ、Ｄ、ＤＤなどの知られているサイズ基準に従ってサイズ決定され得る。カップは、使用者ごとの最適位置で胸の上に位置決めされ得る、マイクロファイバーの布などの柔らかい材料で作られる。特により身体の大きい女性にとっては非常に着け心地が悪い場合がある使用者の肌に食い込むワイヤは存在しない。胸ごとに適切なカップサイズを有することにより、カップは、可能な限りぴったりと胸に沿い、胸を定位置に保持することになる。ブラジャーのたるみ、および各カップのフィッティング不良は存在しないことになる。カップは、マイクロファイバー材料に縫製または成形されてもよい。
【００１８】
カップサイズは適切であり、使用者は、以前から存在している多くのブラジャーの場合のように肩ストラップを短くまたは長くしてうまくフィットしないカップサイズに対応する必要がないので、肩ストラップは、固定的な長さでもよい。加えて、ストラップの長さを調節する必要がないので、肩ストラップの調節機構が必要とされない。これにより、ブラジャーは、より快適で、着用および調節がずっと楽なものになる。加えて、肩ストラップの調節機構がブラジャーに追加される必要がないので、製造コストおよび時間が節約される。ストラップ調節が存在しない理由は、一部にはバックパネルまたは背面部分１０３によるものであり、これは、ブラジャーの安定のコントロールを保ち、ストラップが使用者に食い込むことを防ぐのに十分な大きさである。
【００１９】
使用者は胸ごとに異なるカップサイズを購入することができるので、最終的なブラジャーは、両方の胸にとって適当なサイズになるように完全に合わせられる。片方の側が胸のサイズに対して大きすぎるためにその側がたるんでいるブラジャーを身につける必要はもうない。一方の胸と他方の胸とでカップサイズに大きい差がある場合でも、今や使用者は完璧にフィットするブラジャーを身につけることができる。
【００２０】
図２ａは、身体につけられた本来の位置での第１のブラジャー片側部を示す。肩ストラップ１０４は、肩の上に延びる。カップ１０２は、胸の上に位置決めされる。無限アンダーバンド１０６は、胸の下で身体の周りに延び、フック１０８によってスロット１１０のうちの１つに固定される。図２ｂは、身体につけられた第２のブラジャー片側部の位置を示す。
【００２１】
図３は、右側と左側の両方のブラジャー片側部を着用している使用者の正面図を示しており、ここで、各片側部は、一方のブラジャー片側部が右側用であり他方のブラジャー片側部が左側用であることを除き、図１、図２ａ、および図２ｂに実質的に示されたものである。右側と左側の片側部のそれぞれは、各フックが各スロットに係合することにより、反対の腕の下で取り付けられる。
【００２２】
ブラジャーを着けるために、使用者は、まず、ブラジャーを腕に通すことにより、第１のブラジャー片側部のブラジャーを位置決めすることになる。次いで、このブラジャー片側部は閉じられ、次いで、第２の片側部が同様に位置決めされ、閉じられる。どちらの片側部が最初に位置決めされるかは重要ではなく、使用者の好み次第である。
【００２３】
本発明のブラジャーは、２つの異なるカップサイズをもつという融通性を可能にするためだけでなく、胸にフィットし、かつ／または着用者が使用を望むとき、制約を受けずに任意の装具にフィットするのを可能にするために、２つの部分に分けられている。
【００２４】
次に、ブラジャーを着ける方法がより詳細に説明され、この方法は、ブラジャーを着ける、簡単で人間工学的な方式を提供すると考えられる。加えて、このブラジャーは、着用者が最近手術を受けた場合、または加齢もしくは障害によって引き起こされる運動上の課題を有している場合でも、着けることが簡単である。
【００２５】
着用者は、ブラジャー部ごとに所望のカップサイズを選択する。下部バンドは、前で留められるか、またはそのカップが着用されるのとは反対の胸の側で留められる。取付けは、着用者が望むように、緩くまたはきつくされ得る。ブラジャーがワイヤを含む場合、ワイヤは既に定位置にあり、胸の下におさまるようにひねられる必要または曲げられる必要はない。不快さは感じられない。着用者は、腕穴の中に腕を通す。カップが１つしかないことにより、この運動が楽になり、着用者は、腕穴の中に自身の腕を容易に通すことができる。次いで、着用者は、必要に応じて胸および前中心を整える。必要なら、バンドのきつさが調節されてもよい。ブラジャーの反対の側も、同じやり方で装着される。
【００２６】
ブラジャーがストラップアジャスタを有しないということは、ストラップ長さを調節する必要がないということを意味する。以下のことから明らかになるように、ブラジャーの背面の形状、形態、および布、ならびに特有の特別なストラップの構成が、ブラジャーの「安定」において主要な役割を果たす。
【００２７】
ブラジャーのバックウイングは、前面のカップの被覆範囲と一続きになっている。ストラップは所定の領域に配置されており、従来のブラジャーと比較したとき、このブラジャーは、肩に痛みを感じにくくなる。バックウイングは、身体を「つかむ」ために背中を十分に覆い、ブラジャーの安定を増す。バックウイングは、高いパーセンテージのポリウレタンを含む通気性のあるマイクロファイバーから作られ得る。
【００２８】
ストラップは柔らかく、従来のブラジャーにおいてしばしばそうであるように硬く剛性ではない。ストラップは特別な材料で作られ、着用者が歩くときは胸がはずむのを防止するが、着用者が動いていないときはより柔らかく、より目立たなく見えることになる。ストラップは、マイクロファイバーとポリウレタンの組合せ、たとえばＦｉｂｅｒ  Ｊ（登録商標）から作られてもよい。ストラップの形状および材料により、ストラップが肩に食い込まないようになる。
【００２９】
前述のように、ブラジャーは、身体の周りでブラジャーを閉じるために、いわゆる無限ストラップを利用する。固定されたフックアイ留め具は存在しない。その代わり、バンドはサイズの観点において非常に融通性があり、また他の箇所でより詳細に説明されるように、１つのブラジャーが多くの様々なサイズにフィットすることになる。身体ストラップは、その長さに沿った任意の地点で引っかけられ得る、特別なスロット付きのバンドとして作られている。この締結具システムは、着用者が第１のステップにおいて前面領域でブラジャーを閉じることにより、また反対の腕を腕穴に簡単に通すことによってブラジャーを着ける助けとなり、次いで、胸が定位置にきたとき、必要に応じてバンドのきつさを調節する助けとなる。締結具には融通性があり、これは、着用者が自身の身体を「押し込む」必要がないことを意味する。ブラジャーはうまくフィットし、また最初に調節されると、必要な限りその配置でとどまることになる。
【００３０】
ブラジャーは、カップごとに１つの非金属フックと、バンドに沿って数ミリメートルごとに間隔を空けて配置される、（従来のブラジャーにおける環の機能に取って代わる）複数のスロットを備える無限バンドとを有している。これにより、様々なバンドサイズを作る必要がなくなり、また多くのフックを付けるのを避けることができる。これは、ブラジャーの前面および背面ならびに特別なストラップの、形状および形態により、標準的なブラジャーがするように下部バンドによって着用者を「押しつぶす」必要なしに、フィット性および安定が得られることによって実現され得る。フックは、人間工学的であり、目で見る必要なしにつかんで任意のスロットに通すことが容易であるように設計されている。これは、着用者が目で見ることなしにブラジャーを留めることもできることを意味する。また、フックは、任意の健康診断またはスキャンにおいて着用者がブラジャーを付けたままでいることを可能にするために、非金属材料であるように開発されている。フック用の適当な材料の一例は、樹脂タイプの材料、またはプラスチック材料である。
【００３１】
図３においてさらに見て取ることができるように、このブラジャーには「前中心」が存在しない。通常、すべてのブラジャーは、ブラジャーのまさにその性質に応じ、大きい小さいに関わらず、前中心を含む。前中心は、２つの胸の間に所定の隙間を画定し、ブラジャーによって定められる位置に胸を位置させ、これは自然でなく、または快適でない場合がある。すべての女性の胸の間の隙間が同じわけではないので、やはりこれは現在のブラジャーの限界である。前中心が不適切な長さである場合、それは着け心地が悪いことがある。前中心を有しないことにより、本発明のブラジャーは、２つの胸の間の隙間が異なる使用者に適合するように構成され得る。このことは、明らかに、従来技術に勝るこのブラジャーの別の利点である。加えて、前中心を有しないことの別の利点も存在する。カップの間に前中心を取り付けることは、手間および時間がかかり、追加的な材料を必要とする追加的な製造ステップであるので、製造プロセスの観点でのさらなる節減がまだ存在する。
【００３２】
ブラジャーが前中心を有しないので、このブラジャーは、多くの標準的なブラジャーが抱えるフラストレーションのうちの１つに対処する。事前に連結された前中心がなければ、着用者は、あまり制約を受けずに、思うように自身の胸および／または装具の上にブラジャーカップを配置することができる。事前に連結された前中心がなければ、着用者は、２つの異なるカップサイズを選ぶことができ、または（装具ポケットを含む、含まないに関わらず）異なるタイプ、またさらには異なる色を合わせることができる。事前に連結された前中心がなければ、着用者は、一日を通して安心感を得るために、特別に設計された取外し可能フックを下部バンドにクリップ留めすることができる。
【００３３】
知られているブラジャーからこのブラジャーを差別化する、このブラジャーの別の重要な特徴は、前中心が存在しないので、胸の間に隙間が存在しないということである。各胸は、カップ付きの個々の半分のブラジャーで包まれる。これにはさらなる利点がある。従来のブラジャーにおいて、胸の間の隙間は、汗のため、すぐに湿ることがある。これは非常に酷い場合があり、従来のブラジャーの着用者は、胸の間の隙間にティッシュまたは他の吸収性材料を置いて汗を吸収するように強いられる。これは不快であり、見た目が悪い場合がある。本発明のブラジャーに前中心が存在しないということは、これにより胸の周りで完全に各胸が覆われることが可能になり、２つの胸の間に、各カップに保持されていない隙間が存在しないということを意味する。これは、汗がたまり得る隙間が存在しないということを意味する。本発明のこの領域の材料は、必要なら、出てくる場合があるいかなる残った汗にも対処するように、より吸収性があるようにさらに構成されてもよい。これは、図９ａに示される。
【００３４】
前中心を有しないことのさらに別の利点は、このように胸の間の隙間がないことにより、胸がよりよくサポートされ、着用者が動くとき、胸が動きにくくなるということである。これは、特に横方向の胸の動きに関連するが、任意の動きに応用することができる。その結果、胸の重さ、および胸の動きによって生じるはずみによる背中および肩の緊張が弱まる。結果として、本発明のブラジャーは、従来のブラジャーよりも安定し、より快適さをもたらし、着用者は、背中の緊張および肩の痛みを被ることがずっと少ない。これは、胸の大きい女性に特に当てはまる。
【００３５】
図９ａおよび図９ｂを参照すると、上および下から見たとき、本発明のブラジャーは、ブラジャーと身体との間にいかなる隙間もない。上から見ると、２つのカップの交差により、２つの胸が実質的に別々に包まれ、上から見たとき、胸の間に隙間は存在しない。これは、胸が大きい着用者において胸の間にかなりの隙間ができるのよりも魅力的に見え、また胸を一緒に押し込んで大きい「谷間」をつくるよりもずっと快適である。多くの着用者はきれいな谷間がほしいと考えるが、それはしばしば非常に心地の悪いものであり、着用者がブラジャーを脱いだとき、安堵感があるものである。
【００３６】
従来のブラジャーを下から見ると、胸の下で下部ストラップと身体の間にしばしば隙間がある。これは、ブラジャーが適切な位置で胸をサポートしていないということを意味する。本発明のブラジャーにはこの問題はなく、無限ストラップは、従来のブラジャーでは隙間ができることがある胸の下であっても、その長さに沿って身体にぴったりと沿う。したがって、本発明のブラジャーは、着用者に不快さを感じさせることなく、あらゆる方向において、胸に対して全面的なサポートを提供する。図９ａおよび図９ｂと同様の図が、標準的なブラジャーに関して図９ｃおよび図９ｄに示されて、本発明によるブラジャーに対して標準的なブラジャーを使用した場合の、フィッティングにおける大きな差を浮き彫りにする。図９ａおよび図９ｂにおいて見て取ることができるように、胸に沿うように本発明のブラジャーを成形することにより、よりいっそう快適であり、うまくフィットする下着が生み出される。
【００３７】
図４ａおよび図４ｂは、使用者によって着用されたときの、第１の片側部および第２の片側部の背面を示す。ブラジャーの片側部ごとに、ブラジャーを着用することを快適なものにする、背面部分１０３または１１２が存在する。背面部分は、適当なマイクロファイバーで作られ、また背中に密着するために、通気性のあるパワーメッシュで裏を付けられてもよい。これにより、ブラジャーの自然な安定が助けられ、ブラジャーが滑ることが避けられる。図５は、２つの片側部が一緒になっているのを背面から示し、また重なり部１１４を示す。
【００３８】
図６は、無限アンダーバンドまたは取付けストラップ１０６をより詳細に示し、またスロット１１０に係合したときの、フック１０８の一般に所望される位置を示す。快適さを最大限にするために、またブラジャー片側部を閉じるのを簡単にするために、フックは、そのブラジャー片側部が使用される胸とは反対側の、腕の下または使用者の胸部の側で、スロットに係合する。これは、目で見ることなく、また片方の腕によってなされ得、使用者は、ブラジャーを取り付けるために身体をねじり、ひねる必要がない。好ましい一実施形態では、フックは、金属で作られず、プラスチック材料または樹脂で作られる。
【００３９】
無限アンダーバンドは、その長さに沿って複数のスロットを含む。無限アンダーバンド１０６は、無限アンダーバンド１０６の長さに沿って位置付けられる複数のスロット１１０のうちの１つに係合することができるフック１０８を含む。無限アンダーバンドは、マイクロファイバーと、身体に軽い圧力を加え１日を通じて同じ場所にブラジャーを維持する、伸縮性のある糸との組合せで作られる。
【００４０】
無限アンダーバンド１０６のサイズは、その長さに沿って、関係している人にとって最も適したスロット１１０にフックを位置決めすることによって調整される。大きいサイズでは、無限アンダーバンドは小さいサイズの場合よりも長くなる場合があるが、これはブラジャーの購入後に使用者によって決定され得、無限アンダーバンドは、過度の重なりを避けるために、使用者によってカットされて適当な長さにされ得る。無限アンダーバンドは、使用者の通常のサイズに基づいてどこでカットがなされるべきかを示す、１つまたは複数の印を含んでもよい。たとえば、使用者が一方の胸についてはサイズ９５Ｂであり、他方の胸については９５Ｃである場合、使用者は、関係する胸についてＢカップの片側部およびＣカップの片側部を購入し、次いで両方の片側部において９５ｃｍのマーカのところで無限アンダーバンドをカットすることができる。使用者は、使用者自身の快適さおよびきつさの要求に基づいて、任意の適当な長さにカットするのを決定することができる。異なるカップサイズではカップの下の無限アンダーバンドの長さは異なることになり、結果として、さらなる調節なしで使用者にフィットするのに適している場合があるので、様々なカップサイズに合わせてバンドをカットして適当な長さにする必要はない場合がある。無限アンダーバンドにより、フィッティングが完全にパーソナライズされることが確実となる。
【００４１】
無限ストラップは、追加的な安心感および快適さのために、２つ以上のフックを有するように構成されてもよい。追加的なフックは、ストラップの端部とは異なる場所、たとえば着用者の胸部の中央近くの前面、胸の下の場所、または任意の他の都合のよい場所に位置付けられてもよい。
【００４２】
無限アンダーバンド１０６を使用することにより、ブラジャー製造者は、各胸について、カップサイズごとに単一サイズのブラジャー片側部を作ることができる。このようにして、製造コストは著しく削減され得る。あるブラジャー片側部から次のブラジャー片側部への変更点は、カップサイズ、および胸が右側であるかそれとも左側であるかだけである。
【００４３】
図７および図８は、狭幅胸フレームおよび広幅胸フレームでの本発明のブラジャーを示し、それぞれがサイズは同じであり形状は異なる２つの形態を示す。２つの片側部の重なりの量は、それぞれの状況において異なる。これにより、本発明のブラジャーの適応性、および前中心が外された理由がさらに示される。
【００４４】
本発明によるブラジャーは、以下の非限定的な方式で製造され得る。
【００４５】
所定のカップサイズのブラジャーカップを製造するステップ、カップの上部において肩ストラップを介してバックパネルにカップを取り付けるステップ、カップの基部において取付けストラップにカップを取り付けるステップ、および取付けストラップの所定の場所にバックパネルを取り付けるステップ。取付け無限アンダーバンドは、無限アンダーバンドの一方の端部に位置付けられるフックによって係合され得る複数のスロットを含み、それによって使用者ごとにブラジャーのサイズを調整する。
【００４６】
本発明は、上に示したように一例として説明されてきたが、それらには、限定なしに代替形態および異なる特徴を含み得る本発明の範囲を限定する意図はないものとする。
【図１】
2019520491.tif 000003
【図２ａ】
2019520491.tif 000004
【図２ｂ】
2019520491.tif 000005
【図３】
2019520491.tif 000006
【図４ａ】
2019520491.tif 000007
【図４ｂ】
2019520491.tif 000008
【図５】
2019520491.tif 000009
【図６】
2019520491.tif 000010
【図７】
2019520491.tif 000011
【図８】
2019520491.tif 000012
【図９ａ】
2019520491.tif 000013
【図９ｂ】
2019520491.tif 000014
【図９ｃ】
2019520491.tif 000015
【図９ｄ】
2019520491.tif 000016
【国際調査報告】
2019520491.tif 000017
2019520491.tif 000018
2019520491.tif 000019